(57)【要約】【課題】遮音性の耳栓を外耳道に挿入した状態で常に良好な聴取性能を発揮し得る音響装置を提供する。【解決手段】耳栓１と、耳栓１の端部に接離自在に接触するイヤホン４０とを有する。イヤホン４０は、使用者の後頭部を跨ぐヘッドバンド部３１と、ヘッドバンド部３１の左右両端から使用者の耳介の根本の下方に延びるフック部３２と、フック部３２の先端から耳孔に延びるアーム部２とを有する。アーム部２は、耳栓１の端部と係脱自在に嵌合する嵌合部３と、嵌合部３を振動させる音響振動発生源とを有している。使用者が着用している保安帽５０の後部内壁にヘッドバンド部３１を係合させることにより、イヤホン４０は保安帽５０に簡易固定される。フック部３２が使用者の耳介の下方に位置し、フック部３２の先端から耳孔にアーム部３３が延びているので、使用者が眼鏡を着用する場合であっても、イヤホン４０が眼鏡の邪魔にならない。【選択図】図１５
2010287957.tif 000002
【特許請求の範囲】
【請求項１】
使用者の外耳道に装着される耳栓と、
前記耳栓の着用時に耳孔から露出する側の端部（露出端部）に接離自在に接触するイヤホンと、を有する音響装置。
前記イヤホンは、
装着時に使用者の後頭部を跨ぐ円弧状又は略馬蹄形状の左右連結部と、当該左右連結部の左右両端から使用者の耳介の根本の下方に延びるフック部と、両フック部から使用者の耳孔に延びるアーム部とを有する。
前記アーム部は、
前記露出端部と係脱自在に嵌合する環状若しくは略環状の嵌合部と、当該嵌合部を振動させる音響振動発生源とを有する。
【請求項２】
前記左右連結部の後端部は、前記使用者が着用している保安帽の後部に収容可能である、請求項１の音響装置。
【請求項３】
前記左右連結部の後端部は、前記使用者が着用している保安帽の後部内壁と係合可能である、請求項２の音響装置。
【請求項４】
前記耳栓は、円柱形又は挿入側端部が細くなった略円柱形の柔軟に変形する耳栓部と、当該耳栓部の反挿入側端部に設けられた定形部とを有し、
前記嵌合部は、前記定形部と係脱自在に嵌合する、請求項１〜３のいずれかの音響装置。
【請求項５】
前記定形部は、前記耳栓部と同軸的に設けられた円柱形の突起部と、当該突起部の基端部に設けられた円環状のフランジ部を有し、当該フランジ部の外径寸法は前記耳栓体の外径寸法よりも大きく選定されており、
前記嵌合部は、前記突起部と係脱自在に嵌合するとともに前記フランジ部に当接する、請求項４の音響装置。
【請求項６】
前記突起部の端面は、平坦面又は滑らかな突曲面である、請求項５の音響装置。
【請求項７】
前記突起部の端面は、前記定形部に前記嵌合部を嵌合させた状態においても、前記嵌合部の外側から視認可能である、請求項６の音響装置。
【請求項８】
前記嵌合部は、前記突起部の端面を露出させるべく開口した貫通孔を有する、請求項７の音響装置。
【請求項９】
前記突起部と前記嵌合部とが互いに完全に嵌合した状態のとき、前記突起部の端面と前記嵌合部の外側面とが互いにほぼ同一面内に位置するように、前記突起部の形状及び寸法と前記嵌合部の形状及び寸法とが各々選定されている、請求項８の音響装置。
【請求項１０】
前記突起部と前記嵌合部とが互いに完全に嵌合した状態のとき、前記突起部の突端部が前記嵌合部の外側面から突出するように、前記突起部の形状及び寸法と前記嵌合部の形状及び寸法が選定されている、請求項８の音響装置。
【請求項１１】
前記嵌合部は、前記突起部を覆うようにして嵌合するように構成されている、請求項７の音響装置。
【請求項１２】
円柱形又は挿入側端部が細くなった略円柱形の柔軟に変形する耳栓部と、当該耳栓部の反挿入側端部に設けられた定形部とを有し、前記定形部は、前記耳栓部と同軸的に設けられた円柱形の突起部と、当該突起部の基端部に設けられた円環状のフランジ部を有し、当該フランジ部の外径寸法は前記耳栓体の外径寸法よりも大きく選定されている、耳栓。
【請求項１３】
前記突起部の端面は、平坦面又は滑らかな突曲面である、請求項１２の耳栓。
【発明の詳細な説明】
【技術分野】
【０００１】
本発明は、頭部に装着して使用するタイプの音響装置に関する。より詳細には、遮音性の耳栓を外耳道に挿入した状態で使用する音響装置に関する。
【背景技術】
【０００２】
遮音性の耳栓を外耳道に挿入した状態で使用する音響装置として、耳栓の反挿入側端面に固体伝導スピーカ（振動発生源）を押し当てて使用する装置が知られている。（特許文献１、特許文献２）
【特許文献１】実開平６−２６３２８号公報
【特許文献２】特開平５−２０７５７９号公報
【発明の開示】
【発明が解決しようとする課題】
【０００３】
上述した従来の音響装置は、耳栓の反挿入側端面と固体伝導スピーカの振動面同士を面接触させた状態で、固体伝導スピーカの振動を耳栓に伝達するように構成されている。このため、この種の従来の音響装置は、耳栓の反挿入側端面に対して固体伝導スピーカの振動面が傾いた姿勢になると、両面間の接触不良により振動の伝達効率が低下し、本来の音響性能を発揮し得なくなる。また、耳栓と固体伝導スピーカとの相対的な位置ずれによっても、両者間の振動の伝達効率が低下し、本来の音響性能を発揮し得なくなる。
本発明が解決しようとする課題は、遮音性の耳栓を外耳道に挿入した状態で常に良好な聴取性能を発揮し得る音響装置を提供し、加えてこの音響装置に好適な耳栓を提供することにある。
【課題を解決するための手段】
【０００４】
本発明の音響装置には、下記（１）〜（１２）の音響装置が含まれる。
（１）：使用者の外耳道に装着される耳栓と、前記耳栓の着用時に耳孔から露出する側の端部（露出端部）に接離自在に接触するイヤホンと、を有する音響装置。
前記イヤホンは、左右連結部と、フック部と、アーム部とを有する。
前記左右連結部は、装着時に使用者の後頭部を跨ぐ部分である。前記左右連結部の平面形状（装着時に上方から見た形状）は、円弧状又は略馬蹄形状である。
前記フック部は、前記左右連結部の左右両端から使用者の耳介の根本の下方に延びる部分である。
前記アーム部は、前記露出端部と係脱自在に嵌合する嵌合部と、当該嵌合部を振動させる音響振動発生源とを有している。前記嵌合部の形状は、環状若しくは略環状である。
【０００５】
（２）：前記左右連結部の後端部は、前記使用者が着用している保安帽の後部に収容可能である、（１）の音響装置。
（３）：前記連結部の後端部は、前記使用者が着用している保安帽の後部内壁と係合可能である、（２）の音響装置。
（４）：前記耳栓は、円柱形又は挿入側端部が細くなった略円柱形の柔軟に変形する耳栓部と、当該耳栓部の反挿入側端部に設けられた定形部とを有し、前記嵌合部は、前記定形部と係脱自在に嵌合する、（１）〜（３）のいずれかの音響装置。
（５）：前記定形部は、前記耳栓部と同軸的に設けられた円柱形の突起部と、当該突起部の基端部に設けられた円環状のフランジ部を有し、当該フランジ部の外径寸法は前記耳栓体の外径寸法よりも大きく選定されており、前記嵌合部は、前記突起部と係脱自在に嵌合するとともに前記フランジ部に当接する、（４）の音響装置。
（６）：前記突起部の端面は、平坦面又は滑らかな突曲面である、（５）の音響装置。
（７）：前記突起部の端面は、前記定形部に前記嵌合部を嵌合させた状態においても、前記嵌合部の外側から視認可能である、（６）の音響装置。
（８）：前記嵌合部は、前記突起部の端面を露出させるべく開口した貫通孔を有する、（７）の音響装置。
（９）：前記突起部と前記嵌合部とが互いに完全に嵌合した状態のとき、前記突起部の端面と前記嵌合部の外側面とが互いにほぼ同一面内に位置するように、前記突起部の形状及び寸法と前記嵌合部の形状及び寸法とが各々選定されている、（８）の音響装置。
（１０）：前記突起部と前記嵌合部とが互いに完全に嵌合した状態のとき、前記突起部の突端部が前記嵌合部の外側面から突出するように、前記突起部の形状及び寸法と前記嵌合部の形状及び寸法が選定されている、（８）の音響装置。
（１１）：前記嵌合部は、前記突起部を覆うようにして嵌合するように構成されている、（７）の音響装置。
（１２）：前記嵌合部は、前記突起部の端面と対面する部分が透明プラスチックなど可視光透過部材で形成されている、（１１）の音響装置。
本発明の耳栓には、下記（１３）〜（１５）の耳栓が含まれる。
（１３）：円柱形又は挿入側端部が細くなった略円柱形の柔軟に変形する耳栓部と、当該耳栓部の反挿入側端部に設けられた定形部とを有し、前記定形部は、前記耳栓部と同軸的に設けられた円柱形の突起部と、当該突起部の基端部に設けられた円環状のフランジ部を有し、当該フランジ部の外径寸法は前記耳栓体の外径寸法よりも大きく選定されている、耳栓。
（１４）：前記突起部の端面は、平坦面又は滑らかな突曲面である、（１３）の耳栓。
【発明の効果】
【０００６】
本発明の音響装置は、遮音性の耳栓を外耳道に挿入した状態で常に良好な聴取性能を発揮する。
【図面の簡単な説明】
【０００７】
【図１】（ａ）はスピーカユニットの正面図  （ｂ）はスピーカユニットの側面図  （ｃ）はスピーカユニットの下面図  （ｄ）はスピーカユニットの上面図
【図２】耳栓の斜視図
【図３】（ａ）は耳栓の正面図  （ｂ）は耳栓の側面図  （ｃ）は耳栓の背面図
【図４】（ａ）は耳栓とスピーカユニットとが嵌合している状態の正面図  （ｂ）は耳栓とスピーカユニットとが嵌合している状態の側面図
【図５】耳栓とスピーカユニットとが嵌合していない状態の断面図
【図６】耳栓とスピーカユニットとが嵌合している状態の断面図
【図７】（ａ）は耳栓の正面図  （ｂ）は耳栓の側面図  （ｃ）は耳栓の背面図
【図８】耳栓とスピーカユニットとが嵌合していない状態の断面図
【図９】耳栓とスピーカユニットとが嵌合している状態の断面図
【図１０】（ａ）はスピーカユニットの正面図  （ｂ）はスピーカユニットの側面図
【図１１】耳栓とスピーカユニットとが嵌合している状態の側面図
【図１２】（ａ）は耳栓の正面図  （ｂ）は耳栓の側面図  （ｃ）は耳栓の背面図
【図１３】耳栓とスピーカユニットとが嵌合している状態の断面図
【図１４】（ａ）は耳栓の正面図  （ｂ）は耳栓の側面図  （ｃ）は耳栓の背面図
【図１５】音響装置の使用状態の側面図
【図１６】（ａ）は耳栓の斜視図  （ｂ）は耳栓の斜視図
【図１７】（ａ）は耳栓の斜視図  （ｂ）は耳栓の斜視図
【符号の説明】
【０００８】
１  耳栓
１Ａ  突起部
１Ｂ  耳栓部
１ａ  反挿入側端部
１ｓ  反挿入側端面
２  スピーカユニット
２Ａ  ユニット本体
３  接触部（接触体）
４  音響振動発生源
５  突起部（露出端部）
５ａ  端面
６  嵌合部
６ａ  貫通孔
６ｂ  端面（外側面）
７  図柄
１１  耳栓
１１Ａ  突起部
１１Ｂ  耳栓体
１２  定形部材（定形部）
２１  耳栓
２５  耳栓
２６  フランジ部
３１  ヘッドバンド部（左右連結部）
３２  フック部
３３  アーム部
４０  イヤホン
５０  保安帽
【発明を実施するための最良の形態】
【０００９】
以下、本発明の実施形態について説明する。
［第1形態例］
図１〜図６は本発明にかかる音響装置の第1の形態例を示す図である。
第1形態例の音響装置は、使用者の外耳道に挿入した状態で使用される耳栓１（この例では左右一対）と、スピーカユニット２とを有する。スピーカユニット２は、使用者の頭部に装着されるイヤホン４０の一部を構成する。イヤホン４０は、図１５に例示するように、装着時に使用者の後頭部を跨ぐ円弧状又は略馬蹄形状の左右連結部（以下、ヘッドバンド部と記す。）３１と、ヘッドバンド部３１の左右両端から使用者の耳介の下方に延びる円弧状のフック部３２と、両フック部３２の先端から使用者の耳孔に延びるアーム部３３と、を有している。スピーカユニット２は、イヤホン４０のアーム部３３を構成している。また、この例では、ヘッドバンド部３１とフック部３２はプラスチック成型により一体として成型されている。
【００１０】
ヘッドバンド部３１の後端部は、使用者が着用している保安帽４０の後部内壁と係合又は嵌合可能である。ヘッドバンド部３１の後端部を、使用者が着用している保安帽５０の後部内壁に係合又は嵌合させることで、イヤホン４０が保安帽５０に固定される。保安帽５０は使用者の頭部に固定した状態で使用されるので、イヤホン４０が保安帽５０に固定されることにより、使用者の頭部に対するイヤホン４０の変位（特にヘッドバンド部３１の上下方向の振動、揺動）が抑制される。
ヘッドバンド部３１を保安帽５０に着脱自在に固定する構造は、保安帽５０の内側にヘッドバンド部３１の後端部を係脱自在に保持する係止部（爪部、溝部、等）を設けておくことにより実現できる。また、ヘッドバンド部３１と保安帽５０のうち少なくとも一方に磁石を設け、他方に当該磁石と磁気的吸着力により結合する磁性体を設けておくことによっても実現できる。また、ヘッドバンド部３１が弾性変形して保安帽５０の内側に嵌るようにしてもよい。
【００１１】
また、フック部３２が使用者の耳介の下方に位置し、そのフック部３２の先端から使用者の耳孔にアーム部３３が延びている構造を採用したことにより、使用者が眼鏡を着用する場合であっても、イヤホン４０が眼鏡のテンプルと干渉することはない。
【００１２】
スピーカユニット２は、使用者の外耳道に挿入されている耳栓１の露出端部（反挿入側端部）５に接離自在に接触する接触部（接触体）３と、接触部３を振動させる音響振動発生源４と、を有している。スピーカユニット２は、音響振動発生源４を収容している矩形平板状のプラスチック製のユニット本体２Ａを有し、ユニット本体２Ａの先端部に接触部３が形成されている。そして、ユニット本体２Ａの基端部が、イヤホン４０の耳掛部３２に前後に回動可能に連結されている。音響振動発生源４には、圧電バイモルフ素子、圧電ユニモルフ素子など、公知の音響振動発生素子が用いられる（たとえば、特開2007-228610号公報参照）。イヤホン４０には、音響振動発生源４を駆動するドライバユニットが接続される。ドライバユニットは、外部音源から入力される電気音響信号を信号処理する信号処理回路、その信号処理回路の出力信号を増幅して音響振動発生源４に供給する増幅回路、電源回路、そしてモード切替スイッチを備えている。モード切替スイッチは、耳栓１を着用しない状態で聴取する第１聴取モードと耳栓１を着用した状態で聴取する第２聴取モードのうちどちらか一方の聴取モードに選択的に切り替えるための操作子である。ドライバユニットの信号処理回路は少なくとも二種類の音響特性の信号を選択的に出力可能なイコライジング機能を有しており、モード切替スイッチで第１または第２の聴取モードを選択することにより、選択されたモードに応じた音響特性の電気音響信号が生成されるようになっている。イヤホン４０は、その内部が外部から隔絶された水密構造になっている。イヤホン４０の装着時には、ヘッドバンド部３１と耳掛部３２の弾性力により、左右のスピーカユニット２の接触部３が互いに接近する向きに付勢される。
【００１３】
耳栓１の露出端部１ａには、耳栓１の外耳道への挿入方向外向きに突出した突起部１Ａ（５）が形成されている。突起部１Ａ（５）は、耳栓部１Ｂの反挿入側端面１ｓから突出している。突起部１Ａ（５）の形状は円柱状である。
【００１４】
耳栓１は、円柱形の耳栓部１Ｂと突起部１Ａとを一体成型してなる。耳栓１は、形状復元性と柔軟性とを併せ持つ発泡材からなる。この種の材料そして、発泡ポリウレタンが知られている。耳栓１は、耳栓部１Ｂを指で摘んで細く潰した状態で、挿入側端面１ｂ側から外耳道内に挿入することにより、外耳道に装着される。耳栓部１Ｂがその自己復元性により元の状態（自由状態）に戻ろうとする過程で、耳栓部１Ｂの外周面が外耳道の内面に全周に亘って密着する。耳栓１を装着することにより、装着者の外耳道内を外部からの騒音を遮断した静かな環境に保つことができる。
【００１５】
スピーカユニット２の接触部３には、突起部１Ａ（５）と係脱自在に嵌合する円環状の嵌合部６が形成されている。
嵌合部６は、耳栓１の突起部１Ａ（５）の側部（露出端部５の外周部）と嵌合する円筒状の貫通孔６ａを有している。
突起部１Ａ（５）の端面５ａは、突起部１Ａ（５）に嵌合部６を嵌合させた状態においても、嵌合部６の外側から視認可能である。
【００１６】
突起部１Ａ（５）と嵌合部６とが互いに完全に嵌合した状態のとき、突起部１Ａ（５）の端面５ａと嵌合部６の端面（外側面）６ｂとが互いにほぼ同一面内に位置するように、突起部１Ａ（５）の形状及び寸法と嵌合部６の形状及び寸法とが各々選定されている。
【００１７】
突起部１Ａ（５）の端面５ａには、文字、図形、若しくは記号、またはこれらを組み合わせたものが付されている。この例では、星を表す図柄７が付されている。この図柄７は、印刷、シール貼着、刻印、レーザ印字、等、何らかの方法を用いて付されたものである。
【００１８】
［第２形態例］
図７〜図９は本発明にかかる音響装置の第２の形態例を示す図である。スピーカユニット２の構成は、第１形態例と同じである。
第２形態例の耳栓１１は、円柱形の耳栓体（耳栓部）１１Ｂを有する。突起部１１Ａ（５）は、耳栓体１１Ｂの反挿入側端面１１ｓに固定された耳栓体１１Ｂよりも硬質の定形部材（定形部）１２の一部（先端部、露出部）をなしている。定形部材１２は、突起部１１Ａ（５）の裏面から同軸状に突出している棒状部１２ｃを有する。
【００１９】
定形部材１２は、プラスチック、エラストマ、金属、ガラス、石、木材、又は竹材のうちのいずれかを材料に用いて製造されたものである、定形部材１２の耳栓体１１Ｂの端面１１ｓからの突出長は３ｍｍ〜１２ｍｍである。
【００２０】
耳栓体１１Ｂの中心部には、反挿入側端面５ａから他方の端面（挿入側端面）１１ｂ側に延びる円筒状の穴１１Ｂｃが形成されている。そして、この穴１１Ｂｃに定形部材１２の棒状部１２ｃが密に挿入されている。棒状部１２ｃの挿入側端部１２ｄは穴１１Ｂｃの底に接している。
【００２１】
耳栓体１１Ｂは、形状復元性と柔軟性とを併せ持つ発泡材からなる。この種の材料そして、発泡ポリウレタンが知られている。この耳栓１１は、耳栓体１１Ｂを指で摘んで細く潰した状態で、挿入側端面１１ｂ側から外耳道内に挿入することにより、外耳道に装着される。耳栓体１１Ｂがその自己復元性により元の状態（自由状態）に戻ろうとする過程で、耳栓体１１Ｂの外周面が外耳道の内面に全周に亘って密着する。耳栓１１を装着することにより、装着者の外耳道内を外部からの騒音を遮断した静かな環境に保つことができる。
【００２２】
突起部１１Ａ（５）の端面５ａには、文字、図形、若しくは記号、またはこれらを組み合わせたものが付されている。この例では、星を表す図柄７が付されている。この図柄７は、印刷、シール貼着、刻印、レーザ印字、等、何らかの方法を用いて付されたものである。
突起部１１Ａ（５）の端面５ａは、突起部１１Ａ（５）に嵌合部６を嵌合させた状態においても、嵌合部６の外側から視認可能である。
突起部１１Ａ（５）と嵌合部６とが互いに完全に嵌合した状態のとき、突起部１１Ａ（５）の端面５ａと嵌合部６の端面（外側面）６ｂとが互いにほぼ同一面内に位置するように、突起部１１Ａ（５）の形状及び寸法と嵌合部６の形状及び寸法とが各々選定されている。
【００２３】
［第３形態例］
図１０及び図１１は本発明にかかる音響装置の第３の形態例を示す図である。
第３形態例のスピーカユニット２は、Ｃ字形（一部に切欠部３ａを有する略環状）の接触部（接触体）３を有している。スピーカユニット２のその他の構成は、第１形態例と同じである。
【００２４】
［第４形態例］
図１２及び図１３は本発明にかかる音響装置の第４の形態例を示す図である。
第４形態例の耳栓２１の定形部材１２は、その突起部１１Ａ（５）の基端部に円環状のフランジ部２２を有している。フランジ部２２は、耳栓体１１の端面１１ｓに接している。フランジ部２２の外径寸法は、耳栓体１１Ｂの外径寸法よりも若干小さめに選定されている。スピーカユニット２の構成は、第１形態例と同じである。
【００２５】
［第５形態例］
図１４は本発明にかかる音響装置の第５の形態例を示す図である。
第５形態例の耳栓２５の定形部材１２は、耳栓体１１と同軸的に設けられた円柱形の突起部１１Ａ（５）と、突起部１１Ａ（５）の基端部に設けられた円環状のフランジ部２６を有している。フランジ部２６の外径寸法は耳栓体１１の外径寸法よりも大きく選定されている。嵌合部６は、突起部１１Ａ（５）と係脱自在に嵌合するとともにフランジ部２６に当接する。
この耳栓２５の耳栓体１１Ｂとして、ＳＰＥＲＩＡＮ社の耳栓「Ｍａｔｒｉｘ（登録商標）」を使用することができる。すなわち、Ｍａｔｒｉｘ（登録商標）に定形部材１２を接着することにより、第５形態例の耳栓２５を実現することができる。耳栓体１１ＢにＭａｔｒｉｘ（登録商標）を使用することにより、耳栓体１１Ｂを指でつぶす手間をかけることなく、そのまま外耳道に挿入することができる。柔らかい耳栓体１１Ｂの頭部に摘み部となる定形部材１２が接着固定されているので、外耳道への耳栓２５の着け外しが容易である。
【００２６】
［その他の形態例］
上記の例では、突起部５と嵌合部６とが互いに完全に嵌合した状態のとき、突起部５の端面５ａと嵌合部６の端面（外側面）６ｂとが互いにほぼ同一面内に位置するように、突起部５の形状及び寸法と嵌合部６の形状及び寸法とが各々選定されているが、突起部５と嵌合部６とが互いに完全に嵌合した状態のとき、突起部５の突端部が嵌合部６の外側面から突出するように、突起部５の形状及び寸法と嵌合部６の形状及び寸法を選定してもよい。
【００２７】
また、上記の例では、突起部５の端面５ａが平坦面であるが、曲面（部分凸球面、部分凹球面、等）であってもよい。
【００２８】
また、上記の例では、突起部５に嵌合部６を嵌合させた状態においても、突起部５の端面５ａが嵌合部６の外側から視認可能となるように、嵌合部６に貫通孔６ａが設けられているが、突起部５が嵌合部６によって覆われるように構成するとともに、嵌合部６の突起部５の端面５ａと対面する部分を透視可能部材で形成してもよい。
【００２９】
また、上記の例では、円柱形の耳栓部１Ｂまたは耳栓体１１Ｂを備えた耳栓１、１１について説明したが、耳栓部１Ｂまたは耳栓体１１Ｂの形状は弾丸形（挿入側端部が細くなった略円柱形）でもよい。
【００３０】
また、上記の例では、音響振動発生源４として、圧電バイモルフ素子、圧電ユニモルフ素子など圧電振動素子を用いているが、電磁形又は動電形の振動発生源を用いてもよい。
【００３１】
また、上記の例では、突起部５の直径が耳栓体１１Ｂ（耳栓部１Ｂ）の直径の約半分の大きさになっているが、図１６（ａ）、（ｂ）に示すように、突起部５の直径が耳栓体１１Ｂ（耳栓部１Ｂ）の直径よりも若干小さくなる程度に両者の寸法を選定してもよい。また、図１７（ａ）に示すように両者の直径寸法を一致させてもよく、図１７（ｂ）に示すように突起部５の直径が耳栓体１１Ｂ（耳栓部１Ｂ）の直径よりも若干大きくなる程度に両者の寸法を選定してもよい。
【００３２】
［効果］
この音響装置は、外耳道に耳栓１、１１を装着した状態で、耳栓１、１１の突起部５にスピーカユニット２の嵌合部６を嵌合させた状態で使用するように構成されているので、聴取時に耳栓１、１１とスピーカユニット２とが常に良好（正常）な接触（連結）状態に保たれ、スピーカユニット２の嵌合部６の振動が高効率に耳栓１、１１に伝達される。したがって、この音響装置は、常に良好な聴取性能を発揮し得る。
【００３３】
この音響装置は、耳栓１、１１により使用者の外耳道内を外部からの騒音を遮断した静かな環境に保った状態で、耳栓１、１１に振動を与えて音声を聴取することができる。したがって、この音響装置は、高騒音下においても極めて高い聴取性能を発揮し得る。
【００３４】
この音響装置は、使用者が着用している保安帽５０にイヤホン４０を固定することにより、使用者の頭部に対してイヤホン４０を固定した状態で使用することができるので、使用者の動きに伴うイヤホン４０の振動が耳栓１、１１に伝達されることにより発生する雑音の発生を極力防止することができる。
【００３５】
この音響装置は、フック部３２が使用者の耳介の下方に位置し、そのフック部３２の先端から使用者の耳孔にアーム部３３が延びている構造を採用しているので、使用者が眼鏡を着用する場合であっても、イヤホン４０が眼鏡のテンプルと干渉しない。したがって、この音響装置は、眼鏡との併用に適している。
【００３６】
この音響装置は、外耳道を水密に閉塞し得る耳栓１、１１を備え、装着体が水密構造になっているので、外部装置との接続部を防水構造にしておけば、水に濡れる環境でも使用可能である。耳栓１、１１と装着体が互いに完全に別体として構成されているため、この音響装置の使用中に装着体が頭部から外れた場合でも、それが原因で耳栓１、１１が外耳道から外れることはないので安全である。すなわち、外耳道に装着されている耳栓１、１１は、装着体が外れても、その本来の機能（遮音機能、防水機能）を発揮し続ける。したがって、この音響装置は、水泳やサーフィンの際にも使用することができる。
【００３７】
この音響装置は、装着体の非装着時、すなわち、耳栓１、１１とスピーカユニット２とが互いに非接触状態のときには、耳栓１、１１には全く振動が発生せず、スピーカユニット２の接触部３が振動するのみである。使用中に装着体が外れた状態でも、周囲の人に不快感を与えるほどの大音量の音は発生しない。したがって、この音響装置は、旅客機や旅客列車等、公共の乗り物内での使用にも適している。
【産業上の利用可能性】
【００３８】
本発明の音響装置は、補聴器に利用できる。すなわち、音響装置の装着体に、マイクロホン、当該マイクロホンの出力信号に応じて音響振動発生源を駆動する駆動回路（増幅回路、フィルタ回路などを含む）、電池、ボリュームコントローラ（出力音量調節器）、などを付加することにより、小型・軽量で、装着感が極めて良好であり、高騒音下においても極めて高い聴取性能を発揮する補聴器を実現できる。
【図１】
2010287957.tif 000003
【図２】
2010287957.tif 000004
【図３】
2010287957.tif 000005
【図４】
2010287957.tif 000006
【図５】
2010287957.tif 000007
【図６】
2010287957.tif 000008
【図７】
2010287957.tif 000009
【図８】
2010287957.tif 000010
【図９】
2010287957.tif 000011
【図１０】
2010287957.tif 000012
【図１１】
2010287957.tif 000013
【図１２】
2010287957.tif 000014
【図１３】
2010287957.tif 000015
【図１４】
2010287957.tif 000016
【図１５】
2010287957.tif 000017
【図１６】
2010287957.tif 000018
【図１７】
2010287957.tif 000019